(57)【要約】【課題】本発明は、携帯端末の外表面にユーザのオリジナリティに富んだ装飾を施すことができる装飾システムを提供する。【解決手段】携帯端末２の外装を装飾する装飾システムであって、画像を取得する取得手段と、取得された画像から、デスクトップ画面に設定される画像を抽出する第１の抽出手段と、第１の抽出手段により抽出された画像を携帯端末２に送信する送信手段と、取得された画像から、携帯端末２の外表面の装飾に用いられる画像を抽出する第２の抽出手段と、第２の抽出手段により抽出された画像が装飾された携帯端末２の外表面の装飾部品を生成する生成手段とを備えた。【選択図】  図４
2011025474.tif 000002
【特許請求の範囲】
【請求項１】
携帯端末の外装を装飾する装飾システムであって、
画像を取得する取得手段と、
前記取得手段により取得された画像から、デスクトップ画面に設定される画像を抽出する第１の抽出手段と、
前記第１の抽出手段により抽出された画像を前記携帯端末に送信する送信手段と、
前記取得手段により取得された画像から、前記携帯端末の外表面の装飾に用いられる画像を抽出する第２の抽出手段と、
前記第２の抽出手段により抽出された画像が装飾された前記携帯端末の外表面の装飾部品を生成する生成手段と、
を備えたことを特徴とする装飾システム。
【請求項２】
前記第２の抽出手段により抽出された画像を、前記携帯端末の外表面に貼付されるシートに印刷する印刷手段を備え、
前記生成手段は、前記印刷手段により画像を前記シートに印刷することにより装飾部品を生成することを特徴とする請求項１記載の装飾システム。
【請求項３】
前記第２の抽出手段は、前記第１の抽出手段に抽出された画像と連続するように画像を抽出することを特徴とする請求項１記載の装飾システム。
【請求項４】
前記携帯端末に電力を供給する電力供給手段を備えたことを特徴とする請求項１記載の装飾システム。
【請求項５】
前記取得手段により取得された画像において、前記第１の抽出手段及び第２の抽出手段により抽出される領域の入力をそれぞれ受け付ける受付手段を備え、
前記第１の抽出手段及び第２の抽出手段は、前記取得手段により取得された画像から、前記受付手段により受け付けられた領域をそれぞれ抽出することを特徴とする請求項１記載の装飾システム。
【請求項６】
前記生成手段は、前記携帯端末を収納するケースを前記携帯端末の外表面の装飾部品として生成することを特徴とする請求項１記載の装飾システム。
【発明の詳細な説明】
【技術分野】
【０００１】
本発明は、携帯端末の外表面に、ディスプレイを含んで連続したデザインを施すことができる装飾システムに関する。
【背景技術】
【０００２】
近年、多種多様な携帯電話機が販売されている中で、ユーザによってはデザイン性に優れた薄型の端末を嗜好する傾向にある。また、ユーザによっては、携帯電話機に自分好みの装飾、例えばストラップ形の多くの飾りやキーホルダーを付けたり、外装面に模様になるようにシールを貼り付けたりすることにより、他人とは異なるオリジナリティを見出そうとしている。そのため、携帯電話機のメーカ各社は外装が多色のバリエーションを揃えたり、キャラクターや有名人、ブランドとコラボレーションした専用の外装デザインシート（例えば着せ替えパネルと呼ばれているもの）を多種揃えたりすることで、ユーザの嗜好に対応しようとしている。
【０００３】
そこで、例えば、携帯電話などのグッズを専門の塗装業者に依頼することなく、その場で簡単に他人との差別化を図ったオリジナルグッズとすることができ、しかも背景が透けて見えたり、印刷が不鮮明にならないようにした装飾シールのプリント供給システムが提案されている（特許文献１参照）。このプリント供給システムは、被プリント物体の画像データを入力し、装飾シールにプリントされる貼付画像データを入力し、被プリント物体画像に貼付画像を重ね表示し、被プリント物体画像に対して貼付画像を縮小、拡大、移動するとともに、貼付画像に文字及び図形を合成あるいは編集し、合成あるいは編集された画像を装飾シールにプリントアウトした後、装飾シールを被プリント物体に貼り付けるようにしたものである。
【先行技術文献】
【特許文献】
【０００４】
【特許文献１】特開２００８−２５４４０７号公報
【発明の概要】
【発明が解決しようとする課題】
【０００５】
携帯電話機を装飾する装飾部品は、模様のみに制限されたり、シールや既成のシートであったりして、デザインにおける制約が多く、そのため、完成度に欠ける、唯一性がないなどの多くの課題があった。また、ユーザにより、携帯電話機の外装面とディスプレイ画面とを一体としたオリジナルなデザインとしたいという要求があったが、着せ替え用シートは専用の装飾シートすなわち既成品であるため専門店でないと変更が困難であった。さらに、ユーザが自ら携帯電話機に装飾を施そうとすると、完成度が低くクオリティが劣化してしまうという問題があった。
【０００６】
本発明は、上記課題を鑑みてなされたものであり、携帯端末の外表面にユーザのオリジナリティに富んだ装飾を施すことができる装飾システムを提供することを目的とする。
【課題を解決するための手段】
【０００７】
上記課題を解決するために、本発明に係る装飾システムは、携帯端末の外装を装飾する装飾システムであって、画像を取得する取得手段と、前記取得手段により取得された画像から、デスクトップ画面に設定される画像を抽出する第１の抽出手段と、前記第１の抽出手段により抽出された画像を前記携帯端末に送信する送信手段と、前記取得手段により取得された画像から、前記携帯端末の外表面の装飾に用いられる画像を抽出する第２の抽出手段と、前記第２の抽出手段により抽出された画像が装飾された前記携帯端末の外表面の装飾部品を生成する生成手段と、を備えたことを特徴とする。
【発明の効果】
【０００８】
本発明に係る装飾システムによると、携帯端末の外表面にユーザのオリジナリティに富んだ装飾を施すことが可能となる。
【図面の簡単な説明】
【０００９】
【図１】本発明に係る装飾システムを示すシステム構成図。
【図２】本発明に係る装飾システムが有する情報処理装置の機能を示すブロック図。
【図３】本発明に係る装飾システムが有する携帯端末（携帯電話機）の機能を示すブロック図。
【図４】本発明に係る装飾システムにおける情報処理装置による携帯端末（携帯電話機）の装飾支援処理を説明するための概略図。
【図５】本発明に係る装飾システムにおいて情報処理装置が携帯端末（携帯電話機）の装飾支援処理を行う際の手順を示すフローチャート。
【図６】携帯端末（携帯電話機）の装飾に使用される装飾画像を示す図。
【図７】携帯端末（携帯電話機）の装飾に使用される装飾画像において、装飾シート及びデスクトップ画面の位置合わせがされた状態を示す図。
【図８】携帯端末（携帯電話機）のデスクトップ画面に使用されるデスクトップ画像を示す図。
【図９】携帯端末（携帯電話機）の装飾シートに使用される装飾シート画像を示す図。
【図１０】携帯端末（携帯電話機）のカバー部材を示す正面図。
【図１１】携帯端末（携帯電話機）に装飾シート及びカバー部材が取り付けられる状態を示す図。
【図１２】装飾された携帯端末（携帯電話機）を示す斜視図。
【発明を実施するための形態】
【００１０】
本発明に係る装飾システムの実施形態について、添付図面を参照しながら説明する。図１は、本発明に係る装飾システム１００を示すシステム構成図である。装飾システム１００は、図１に示すように、少なくとも、情報処理装置１、携帯電話機２、及びプリンタ３を備えている。
【００１１】
情報処理装置１は携帯電話機２の外表面の装飾を支援する機能を備えている。すなわち情報処理装置１は、携帯電話機２に例えば有線接続されていて、携帯電話機２と相互にデータ通信を行うことができる。また、情報処理装置１はプリンタ３に有線接続されていて、データをプリンタ３に出力することができる。プリンタ３は、例えばインクジェット方式やレーザー方式の印刷装置であり、情報処理装置１から入力したデータを印刷することができる。
【００１２】
情報処理装置１と携帯電話機２とは、例えば、無線ＬＡＮ（Ｌｏｃａｌ  Ａｒｅａ  Ｎｅｔｗｏｒｋ）や有線ＬＡＮなどのネットワーク通信、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）や赤外線通信などの近距離無線通信、ＵＳＢ（Ｕｎｉｖｅｒｓａｌ  Ｓｅｒｉａｌ  Ｂｕｓ）接続通信、専用ケーブル接続通信などの通信規格で接続されている。また、情報処理装置１とプリンタ３は、例えば専用ケーブル接続通信などの通信規格で接続されている。なお、情報処理装置１と携帯電話機２、情報処理装置１とプリンタ３の通信方法はこれらに限定されず、それぞれ有線接続でも無線接続でも良く、任意の通信規格に基づいて接続される
図２は、情報処理装置１の機能を示すブロック図である。情報処理装置１は、図２に示すように、制御装置１０、メモリ１１、電源装置１２、入力装置１３、表示装置１４、記憶装置１５、携帯端末インタフェース１６、及び、プリンタ接続インタフェース１７を備えている。
【００１３】
制御装置１０は、ＣＰＵ（Ｃｅｎｔｒａｌ  Ｐｒｏｃｅｓｓｉｎｇ  Ｕｎｉｔ）を具備し、情報処理装置１の総括的な制御を行うとともに、後述する装飾支援処理や、その他の様々な演算処理や制御処理などを行う。メモリ１１は、制御装置１０が処理を行う際の作業領域としてデータを一時的に記憶する。電源装置１２は、ＡＣ（Ａｌｔｅｒｎａｔｉｎｇ  Ｃｕｒｒｅｎｔ）電源に接続されてこのＡＣ電源から電力の供給を受けると、情報処理装置１の各部に対して電力を供給して情報処理装置１を動作可能にする。
【００１４】
入力装置１３は、データを入力する装置であり、例えばキーボードやマウスなどである。ユーザが入力装置１３を用いてデータを入力すると、制御装置１０は、入力装置１３の入力を検知して、それらの入力に基づいて様々な処理を行う。表示装置１４は、データを表示する装置であり、例えばディスプレイなどである。制御装置１０は、表示画面データを生成して表示装置１４に表示させる。
【００１５】
記憶装置１５は、制御装置１０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリなどから構成される。制御装置１０が行う装飾支援処理の処理プログラムは、例えばＲＯＭに記憶されている。
【００１６】
携帯端末接続インタフェース１６は、携帯端末（携帯電話機２など）に対する接続インタフェースを備えている。情報処理装置１に携帯端末接続インタフェース１６を介して例えば携帯電話機２が接続されると、情報処理装置１及び携帯電話機２は、携帯端末接続インタフェース１６が提供する通信規格に基づいて相互にデータ通信を行う。
【００１７】
プリンタ接続インタフェース１７は、プリンタ（例えばプリンタ３など）に対する接続インタフェースを備えている。情報処理装置１にプリンタ接続インタフェース１７を介して例えばプリンタ３が接続されると、情報処理装置１はプリンタ接続インタフェース１７が提供する通信規格に基づいてプリンタ３にデータを出力して、プリンタ３は、情報処理装置１から入力したデータを印刷する。
【００１８】
図３は、携帯電話機２の構成を示すブロック図である。携帯電話機２は、図３に示すように、主制御部２０、電源回路部２１、操作入力制御部２２、表示制御部２３、音声制御部２４、通信制御部２５、記憶部２６、及び外部接続部２７がバスによって相互に通信可能に接続されて構成されている。
【００１９】
主制御部２０は、ＣＰＵを具備し、携帯電話機２の総括的な制御を行うとともに、様々な演算処理や制御処理などを行う。電源回路部２１は、電源供給源（バッテリ等）を備え、例えば所定の操作キー２２ａを介した入力に基づいて携帯電話機２の電源のＯＮ／ＯＦＦ状態を切り替え、電源がＯＮ状態の場合に電力供給源から各部に対して電力を供給して、携帯電話機２を動作可能にする。
【００２０】
操作入力制御部２２は、押下されることによりデータを入力する複数の操作キー２２ａを備えていて、操作キー２２ａが押下されたことを検知すると、その押下されたキーを示す信号を生成して主制御部２０に伝送する。信号を受信した主制御部２０は、この信号に基づいて様々な処理を行う。表示制御部２３は、データを表示するディスプレイ２３ａを備えていて、主制御部２０の制御に基づいて、表示画面データを生成してディスプレイ２３ａに表示させる。
【００２１】
音声制御部２４は、周囲の音声を入力するマイクロフォン２４ａ、音声を出力するスピーカ２４ｂを備えていて、主制御部２０の制御に基づいて、マイクロフォン２４ａで集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ２４ｂから音声として出力する。
【００２２】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ２４ｂから出力されたり、表示制御部２３に伝送されてディスプレイ２３ａに表示されたり、または記憶部２６に記録されたりする。また通信制御部２５は、主制御部２０の制御に基づいて、マイクロフォン２４ａで集音された音声データや、操作キー２２ａを介して入力されたデータや記憶部２６に記憶されたデータを取得すると、これらのデータに対してスペクトラム拡散処理を行い、基地局に対してアンテナ２５ａを介して送信する。
【００２３】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。
【００２４】
外部接続部２７は、情報処理装置１に対する接続インタフェースを備えていて、携帯電話機２に情報処理装置１が接続された場合に、主制御部２０の制御に基づいて、情報処理装置１に対してデータ通信を行う。
【００２５】
近年、外表面をユーザに希望に合わせて変更することができる携帯電話機が開発されている。これらの携帯電話機は、例えば、デスクトップ画面にユーザの所望の画像を設定できたり、あるいは、筐体外表面にユーザの所望の装飾シートを貼付させたりすることができるものである。または、これらの携帯電話機は、例えば、携帯端末の外表面に嵌め込まれる外側パネルと様々にデザインされた装飾シートとを用いて、携帯端末の外表面に外側パネルを装飾シートを挟み込むようにして筐体外表面に嵌め込むことにより、筐体外表面に自由なデザインを施すことができるものである。
【００２６】
しかしながら、これらの携帯電話機に貼付される装飾シートなどは、企業により提供されるのが一般的であり、これらの提供された複数のデザインの中からユーザが所望のデザインを選択することはできるが、ユーザが装飾シートの絵柄などを自由にデザインすることはできなかった。そして、ユーザがこの装飾シートのデザインを変更したいと思っても、直ぐに装飾シートを作製して貼付し直すことができなかった。さらに、これらのデスクトップ画面と装飾シートとはそれぞれ別個に作製されるため、デスクトップ画面と筐体外表面とに似ている装飾を施すことは可能ではあるが、それらに連続性を持たせることは難しかった。
【００２７】
そこで、情報処理装置１は、携帯電話機２のデスクトップ画面に設定される画像と、筐体外表面に貼付される装飾シートの画像とを同一の画像を用いて作製することにより、携帯電話機２にディスプレイ２３ａを含めて連続性をもたせたデザインの装飾を施す機能を備えている。
【００２８】
図４は、装飾システム１００における、情報処理装置１による携帯電話機２の装飾支援処理を説明するための概略図である。図４に示すように、情報処理装置１は、任意の画像から携帯電話機２のディスプレイ２３ａの画面に設定するための画像データを生成して携帯電話機２に送信する。一方で、情報処理装置１は、この任意の画像から装飾シートに印刷するための画像データを生成してプリンタ３に出力する。プリンタ３は、情報処理装置１から入力した画像データに基づいてこの画像を装飾シートに印刷する。そして、携帯電話機２は、画面用の画像データをディスプレイ２３ａのデスクトップ画像として設定されるともに、筐体外表面に装飾シートを貼付されることにより、筐体外表面がディスプレイ２３ａを含めてユーザの所望のデザインに装飾される。
【００２９】
情報処理装置１がこの装飾支援処理を行う際の手順について、図５に示すフローチャート図に基づいて説明する。図５に示すように、始めに情報処理装置１の制御装置１０は、携帯電話機２を装飾するための装飾画像３０を取得する（Ｓ１０１）。図６は、この装飾画像３０の一例を示す図である。ステップＳ１０１にて取得される画像は、予め記憶装置１５に記憶されている画像であっても、携帯電話機２から受信した画像であっても良い。装飾画像３０は、例えば情報処理装置１が記憶装置１５に記憶されている複数の画像を表示装置１４に表示させるとともにユーザが入力装置１３を用いて所望の画像を選択することにより、決定される。
【００３０】
制御装置１０は、画像を取得した後に、この画像を表示装置１４に表示して、ユーザにデスクトップ画面として使用される範囲の位置合わせ、装飾シートと使用される範囲の位置合わせをするように促す（Ｓ１０３）。この位置合わせの際に、情報処理装置１は、例えば携帯電話機２から機種の情報を取得するか、あるいはユーザにより携帯電話機２の機種を入力されることにより、この機種の情報からデスクトップ画像のサイズ、装飾シートのサイズを取得する。なお、記憶装置１５に機種毎の外形の形状やディスプレイの形状などが予め記憶されていると良い。
【００３１】
図７は、装飾画像３０において、ディスプレイ２３ａのデスクトップ画面として使用されるデスクトップ範囲３１、及び装飾シートとして使用される装飾シート範囲３２の位置合わせがされた状態を示す図である。制御装置１０は、図７に示すように、これらの各々のサイズを用いて、ステップＳ１０１にて取得した装飾画像３０から、ディスプレイ２３ａのデスクトップ画像として使用されるデスクトップ範囲３１、装飾シートとして使用される装飾シート範囲３２を選択するようにユーザを促す。ユーザは、入力装置１３（例えばマウス）を用いてデスクトップ範囲３１及び装飾シート範囲３２の位置を移動させることにより、位置合わせを行う。
【００３２】
制御装置１０は、ユーザによる位置合わせが完了したか否かを判断する（Ｓ１０５）。このとき制御装置１０は、例えば入力装置１３を用いて所定の操作がされたことに基づいて、位置合わせが完了したものと判断する。位置合わせが完了していない場合（Ｓ１０５のＮｏ）は、制御装置１０はそのまま待機する。
【００３３】
ユーザによる位置合わせが完了した場合（Ｓ１０５のＹｅｓ）は、制御装置１０は、装飾画像３０のうちのデスクトップ範囲３１の領域を抜き出してデスクトップ画像３３を生成して、このデスクトップ画像３３を携帯電話機２に送信する（Ｓ１０７）。図８は、デスクトップ画像３３の一例を示す図である。
【００３４】
また制御装置１０は、装飾画像３０のうちの装飾シート範囲３２の領域を抜き出して装飾シート画像３４を生成して、この装飾シート画像３４をプリンタ３に出力する（Ｓ１０９）。図９は、装飾シート画像３４の一例を示す図である。装飾シート画像３４を入力したプリンタ３は、この装飾シート画像３４を紙片や樹脂シートに印刷して、装飾シート３６を生成する。
【００３５】
装飾シート３６は、例えばポリカーボネート樹脂から形成されたものである。あるいは、装飾シート３６は、その他の環境に優しい素材で形成されていても良く、濡れると色が変わって乾くと元に戻る素材で形成されていても良い。あるいは、装飾シートは、印刷面の裏面に遮光材が塗布されていても良く、偏光機能を備えた素材で形成されていても良い。
【００３６】
図１０は、携帯電話機２に装飾シート３６を取り付けるためのカバー部材３５の一例を示す正面図である。カバー部材３５は、図１０に示すように、携帯電話機２の外表面を覆うための部材であり、携帯電話機２の形状や携帯電話機２の外表面に設けられた部品などが考慮されて形成されている。すなわち、カバー部材３５は、携帯電話機２に取り付けられた際にディスプレイ２３ａの位置に対応する部分に窓部３５ａを、操作キー２２ａの位置に対応する部分に窓部３５ｂを備えているとともに、カバー部材３５を携帯電話機２に螺子などで固定するための孔部３５ｃを備えている。カバー部材３５は透明または半透明の素材で形成され、窓部３５ａ、３５ｂは、透明または半透明に形成されていても、または切り欠き部として形成されていても良い。
【００３７】
図１１は、携帯電話機２に装飾シート３６が設置される様子を示す図である。図１１に示すように、携帯電話機２に装飾シート３６が取り付けられる際、携帯電話機２に外表面に装飾シート３６が積層され、さらに装飾シート３６にカバー部材３５が積層される。例えば、装飾シート３６におけるカバー部材３５と同様の位置には螺子を通すための孔部が設けられていて、装飾シート３６及びカバー部材３５は螺子によって携帯電話機２の表面に取り付けられる。
【００３８】
なお、携帯電話機１に装飾シート３６を取り付ける方法は、螺子を用いた方法に限らず、装飾シート３６の裏面に接着層が設けられていて、装飾シート３６がそのまま携帯電話機２に貼付されるように構成されていても良い。
【００３９】
図１２は、デスクトップ画像３３及び装飾シート３６により装飾された携帯電話機２を示す図である。携帯電話機２は、図１２に示すように、ステップＳ１０７にて情報処理装置１から送信されたデスクトップ画像３３をデスクトップ画面に表示させるとともに、ステップＳ１０９にて出力された装飾シート画像３４に基づいて生成された装飾シート３６が取り付けられることにより、外表面において、図６に示す装飾画像３０のようにディスプレイ２３ａも含めて連続した一体的な絵柄が表現される。
【００４０】
また、携帯電話機２の筐体外表面の絵柄として、携帯電話機１の表面と裏面とのコンセプトを統一できるような画像が選択されることにより、携帯電話機１の全体に統一感のある装飾を施すことができる。
【００４１】
なお、情報処理装置１及びプリンタ３が一体型に形成された専用治具であっても良い。この場合には、この専用治具が、携帯電話機２に電力を提供する充電機能、データ送受信機能を備えていると良い。これにより、ユーザは、携帯電話機２を充電するついでに、あるいは携帯電話機２のデータを他の装置に送受信するついでに、携帯電話機２の外表面の装飾を変更することができる。
【００４２】
また、携帯電話機２には専用ケースが備えられていて、この専用ケースに対しても、携帯電話機２と同様に装飾を施すことができるようにしても良い。携帯電話機２が専用ケースを備えることにより、不使用時の携帯電話機２においてもデザイン性を向上させることができる。
【００４３】
また、携帯電話機２に発着信があった場合に、発信先や発信元によってデスクトップ画面の画像を変更できるように、情報処理装置１にて複数のデスクトップ画像が抽出されて、携帯電話機２に送信されても良い。このときの複数のデスクトップ画像が、各々装飾シート３６の画像と連続する画像であると更に良い。
【００４４】
装飾の例としては、例えば装飾シート３６を用いて携帯電話機２の外表面に「顔」の装飾を施し、デスクトップ画面において「目」の画像を表示させ、このデスクトップ画面の「目」を開いたり閉じたりさせることにより、携帯電話機２において全体的に統一性を持たせるとともに娯楽性が高められたデザインを施すことができる。
【００４５】
または、装飾シート３６を用いて携帯電話機２の外装に「檻」の装飾を施し、デスクトップ画面に動物の画像を表示させ、各々の絵柄が連続するようにし、このデスクトップ画面の動物を生きているかのように動かすことで、携帯電話機２に対して、動物が檻内で移動しているようなデザインを施すこともできる。
【００４６】
本発明に係る装飾システム１００によると、携帯端末（携帯電話機２）にユーザのオリジナリティに富んだ装飾を施すことが可能となる。これにより、携帯端末全体においてデザイン性を向上させることができる。また、ユーザがデジタル画像を保有していたときに、この画像を利用してソフトウェア上でデザイン編集、操作を簡易に行うことができる。
【００４７】
本発明の説明として、情報処理装置１が携帯電話機２を装飾する場合について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、任意の携帯端末を装飾することができる。また、情報処理装置１及びプリンタ３が別個に設けられている場合について説明したが、これらが一体的に形成されていても良い。
【符号の説明】
【００４８】
１００…装飾システム，１…情報処理装置，２…携帯電話機，３…プリンタ，１０…制御装置，１１…メモリ，１２…電源回路部，１３…入力装置，１４…表示装置，１５…記憶装置，１６…プリンタ接続インタフェース，１７…携帯端末接続インタフェース，２０…主制御部，２１…電源回路部，２２…操作入力制御部，２２ａ…操作キー，２３…表示制御部，２３ａ…ディスプレイ，２４…音声制御部，２４ａ…マイクロフォン，２４ｂ…スピーカ，２５…通信制御部，２５ａ…アンテナ，２６…記憶部，２７…外部接続部，３０…装飾画像，３１…デスクトップ範囲，３２…装飾シート範囲，３３…デスクトップ画像，３４…装飾シート画像，３５…カバー部材，３６…装飾シート。
【図１】
2011025474.tif 000003
【図２】
2011025474.tif 000004
【図３】
2011025474.tif 000005
【図４】
2011025474.tif 000006
【図５】
2011025474.tif 000007
【図６】
2011025474.tif 000008
【図７】
2011025474.tif 000009
【図８】
2011025474.tif 000010
【図９】
2011025474.tif 000011
【図１０】
2011025474.tif 000012
【図１１】
2011025474.tif 000013
【図１２】
2011025474.tif 000014